(57)【特許請求の範囲】
【請求項１】
表面に一つのグループに取纏められた複数の配送品に共通する機械読取りユニット情報と配送情報記入欄とを有し、裏面に剥離剤を有する配送情報表示紙片と、表面に前記機械読取りユニット情報と同一内容の視認用ユニット情報を有し、裏面に粘着剤を有する、前記配送情報表示紙片とは折り幅方向の長さが異なる貼着紙片とが折り部を介して連接してなり、この折り部より配送情報表示紙片と貼着紙片との裏面側同志が対接するように折り合わせられてなる配送管理票が、複数枚一組として折り部側で分離可能に綴じ合わされてなることを特徴とする配送管理票組。
【発明の詳細な説明】
【０００１】
【発明の属する技術分野】
本発明は、配送品の配送業務を行う配送管理票に関し、同一配送地域毎の配送品の配送管理を容易に行うことができる配送管理票組に関する。
【０００２】
【従来の技術】
従来、配送品の配送業務を行うに際しては、配送品に貼着してある配送伝票に記入された視認情報とバーコード等からなる伝票番号とで一個ずつ配達品を管理し、配送が終わるまでこの伝票番号で配送一貫管理を行っている。そのために各顧客から集荷された配送品は、集荷時、発店発送時、中継店通過時、配達店発送時、配達完了時の各配送過程において、配送品毎にそれぞれ個別に伝票番号を読取り、配送管理する仕組みになっている。
【０００３】
【発明が解決しようとする課題】
そのため大量の配送品を取扱う運送会社においては、配達地域が異なる配送品を取扱う場合はともかくとして、同一配達地域に多くの配送品を一度に運ぶ場合も、１個１個の配送品に貼着されている配送伝票の伝票番号を読込ませてコンピュータで配送管理しているため、集荷店での作業と同じ作業を中継店等の各配送過程でも繰り返して同じ作業により配送管理を行っているので、大変煩雑な作業を強いられていた。
【０００４】
【課題を解決するための手段】
本発明は、上記の課題を解決するために、表面に機械読取りユニット情報と配送情報記入欄とを有し、裏面に剥離剤を有する配送情報表示紙片と、表面に前記機械読取りユニット情報と同一内容の視認用ユニット情報を有し、裏面に粘着剤を有する、前記配送情報表示紙片とは折り幅方向の長さが異なる貼着紙片とが折り部を介して連接してなり、この折り部より配送情報表示紙片と貼着紙片との裏面同志が対接するように折り合わせられてなる配送管理票を複数枚一組として、折り部側で分離可能に綴じ合わせ配送管理票組としてものである。
【０００５】
【発明の実施の形態】
以下、本発明を添付図面に基づき詳細に説明する。図１〜図５は本発明の実施形態を示すもので、図１は配送管理票を展開した概略的な表面平面図、図２は図１の裏面平面図、図３は配送管理票を一部剥離展開している斜視図、図４は配送管理票組の概略的な断面図、図５は配送管理票をコンテナに貼着した使用状態図である。
【０００６】
まず、本発明の構成について説明する。配送情報表示紙片２と折り幅方向が短い貼着紙片３とが折り部８を介して連接する配送管理票１は、図１〜図３で理解できるように配送情報表示紙片２の表面側には、配送情報記入欄４及び機械読取りユニット情報６が設けられ、貼着紙片３の表面側には、視認用ユニット情報７を含み「ユニット登録」の表示５が印刷されている。また、配送情報表示紙片２の裏面側には、折り部８で貼着紙片３を折り重ね合わせた時に、対接する貼着紙片３の裏面側に塗布されている貼着用の粘着剤１０を覆う範囲に剥離剤９が塗られている。
【０００７】
この配送管理票１は、複数枚が折り部８の側端で揃えられて重ね合わされ、表表紙１２と裏表紙１３の間に配置され、背表紙１４で分離可能に折り部８の側面が接着剤１１で綴じ合わされ、図４のように配送管理票組Ａとされてなるものである。この配送管理票組Ａの構成は、折り部８の側面を綴じ合わせているため、配送情報表示紙片２と貼着紙片３の表面同志が交互に密接した状態になっており、背表紙１４との綴じ合わせが綺麗に仕上がり、また配送管理票１を一つ一つ分離するに際しては、配送情報表示紙片２と貼着紙片３の折り重ね合わせ長が異なるため、配送管理票１間の段差を利用して容易に行うことができる。
【０００８】
次に、この配送管理票組Ａの使い方を順を追って説明する。運送会社の集荷場に集められた多数の配送品を、配送伝票に記載された配達先情報に基づき、配達先の地域を同じくする配送品に取纏めると共に、各配送品に貼着されている配送伝票のバーコードを読取り、各配送品毎の配送管理ナンバーを登録し、コンテナ１５に収容する。それから図４の配送管理票組Ａから配送管理票１を一枚分離して、配送情報表示紙片２の配送情報記入欄４にユニット月日、行先、発店等の所定の配送情報を記入し、図３のように配送情報表示紙片２と貼着紙片３の折り重ね合わせ長の差と粘着剤１０の未塗布部を掴み代に利用し剥がして展開し、図５のようにコンテナ１５の所定箇所に貼着紙片３の粘着剤１０を用いて貼着する。
【０００９】
次に、配送情報表示紙片２の配送情報記入欄４に設けられた機械読取りユニット情報６であるバーコードを、バーコード読取り機械で読込んでコンピュータに入力する。何らかのトラブルにより機械読取りユニット情報６であるバーコードが読込めない場合には、貼着紙片３の視認用ユニット情報７である伝票番号を手入力すればよいものである。この配送管理票１に表示されている機械読取りユニット情報６であるバーコードと、コンテナ１５内の各配送品の配送管理ナンバーとを関連付けし、コンテナ１５内の複数個の配送品全体のユニット番号として登録し、このユニット登録番号を以後中継店等での配送過程で読取り配送管理を行う。
【００１０】
このようにコンテナ１５に収容後は、各配送過程において複数個の配送品の配送管理が一つのユニット登録番号で管理できるので、配送業務が極めて正確且つ効率よく行えるものである。
【００１１】
なお、配送管理票１の表面側余白面を配送管理票組Ａ毎に色分けし有色化すると、色により配達地域も確認できるので、一層配送業務効率が向上する。
【００１２】
【発明の効果】
以上、説明したところで明らかなように、本発明によれば、配送管理票を配送情報記入欄と一つのグループに取纏められた複数の配送品に共通する機械読取りユニット情報を有する配送情報表示紙片と視認用ユニット情報を有する、前記配送情報表示紙片とは折り幅方向の長さが異なる貼着紙片とで構成し、折り部を介して不均等長に裏面側同志が対接するように折り合わせて、折り部側を分離可能に複数枚綴じ合わせて配送管理票組としたので、折り合わせた際に配送情報表示紙片と貼着紙片との間で形成された段差部を介して一枚一枚容易に剥がせると共に、ロール形態とは異なって中側の配送管理票でも捲り露出することができ、あらかじめ使用予定される任意枚数の配送管理票の各配送情報記入欄にスタンプ等で、月日、行先、発店等の配送情報を記載することが容易にでき、機械読取りユニット情報を読込ませてユニット登録管理ができるため、配送業務の配送管理作業の効率が向上するという効果を奏する。
【図面の簡単な説明】
【図１】配送管理票を展開した概略的な表面平面図。
【図２】配送管理票を展開した概略的な裏面平面図。
【図３】配送管理票を一部剥離展開している斜視図。
【図４】配送管理票の概略的な断面図。
【図５】配送管理票をコンテナに貼着した概略的な使用状態図。
【符号の説明】
Ａ  配送管理票組
１  配送管理票
２  配送情報表示紙片
３  貼着紙片
４  配送情報記入欄
５  表示
６  機械読取りユニット情報
７  視認用ユニット情報
８  折り部
９  剥離剤
１０  粘着剤
１１  接着剤
１２  表表紙
１３  裏表紙
１４  背表紙
１５  コンテナ
【図１】
0003576665.tif 000002
【図２】
0003576665.tif 000003
【図３】
0003576665.tif 000004
【図４】
0003576665.tif 000005
【図５】
0003576665.tif 000006